【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
劣化の電気的検出を有するエネルギー案内チェーン（１）であって、該エネルギー案内チェーンは、第１の接続端部（６）と該第１の接続端部に対して移動可能な第２の接続端部（５）との間に、ケーブル、ホース等のようなラインを保護して案内するための通路を形成する複数のチェーン・リンク（７）を含み、隣接するチェーン・リンク（７）はそれぞれ、長手方向において互いにヒンジまたは可撓接続部によって接続され、前記エネルギー案内チェーンは、例えば、摩損摩耗、亀裂および／または疲労破損に起因する、少なくとも１つのチェーン・リンク（７）のクリティカル領域（１１）における劣化摩耗を検出するための装置を含み、
該装置（１０）は、無線回路（２０、２０Ａ、２０Ｂ；１２２０；１３２０．．．）と、該無線回路と協働し、該少なくとも１つのチェーン・リンクに固定される少なくとも１つの検出器素子（２６；１２２６、１２２７；１６２６）とを有し、前記無線回路および協働する前記検出器素子は、エネルギー案内チェーン（１）に対する前付けまたは後付けのために検出モジュール（１００；１９０；２００）において一体化されており、該検出器素子は、該クリティカル領域（１１）における所定量の摩耗において前記無線回路の挙動を変化させ、劣化摩耗に起因する変化が無線で検出され得るエネルギー案内チェーン（１）。
【請求項２】
前記エネルギー案内チェーンの摩耗の影響を受けやすい長手部分内の複数のチェーン・リンク（７）がそれぞれ、少なくとも１つの検出モジュール（１００；１９０；２００）を有する請求項１に記載のエネルギー案内チェーン。
【請求項３】
前記検出器素子（２６；１２２６、１２２７；１６２６）が、前記クリティカル領域において延在し、前記所定量の劣化摩耗において中断される検出器ライン（２４；１６２７）のライン部分の形態である請求項１または２に記載のエネルギー案内チェーン。
【請求項４】
前記無線回路は、アンテナを含むトランスポンダ（２０）であり
前記検出器素子が、前記クリティカル領域において延在し、前記所定量の劣化摩耗において中断される該アンテナの一部の形態である、または
前記アンテナ（２２；１２２）は、前記検出器素子（２６）によって短絡され、前記検出器素子（２６）が、前記所定量の劣化摩擦において前記短絡を開放する請求項１または２に記載のエネルギー案内チェーン。
【請求項５】
前記無線回路が、識別情報を記憶するマイクロチップ（２１）を有する受動ＲＦＩＤトランスポンダ（２０、２０Ａ、２０Ｂ；１２２０；１３２０．．．）の形態である、または
前記無線回路が、識別情報を記憶するマイクロチップ（１５２１）を有する能動ＲＦＩＤトランスポンダ（１５１０）の形態である、または
前記無線回路（２０、２０Ａ、２０Ｂ）が、好適には、無線周波数方法のためのアンテナとしてのＬＣ発振回路を有する、受動型１ビット・トランスポンダの形態である請求項１から４のいずれか一項に記載のエネルギー案内チェーン。
【請求項６】
前記チェーン・リンク（７）の各々が、
対向して配置されたサイド・プレート（８）を含み、前記チェーン・リンクのうちの少なくともいくつかが、該サイド・プレートを接続する少なくとも１つの横断脚部（９）を有し、前記検出器素子（２６）が、該サイド・プレート（８）の摩耗の影響を受けやすい狭い側面に取り付けられる、または
１つの部品で製造され、ケーブル、ホース等のようなラインを保護して案内するための通路を形成するセグメントを含み、隣接するセグメント（２１７）はそれぞれ、可撓接続部（２１９）によって前記長手方向において互いに接続されている請求項１に記載のエネルギー案内チェーン。
【請求項７】
前記検出モジュール（１００；１９０；２００）が、機械的な固定のために前記チェーン・リンク（７）またはセグメント上のコネクタと協働し、特に、前記チェーン・リンク（７）のサイド・プレートの横断脚部のためのコネクタと協働する請求項１から６のいずれか１項に記載のエネルギー案内チェーン。
【請求項８】
複数の前記検出器素子（２６；１２２６、１２２７；１６２６）がそれぞれ、前記チェーン・リンク上の前記クリティカル領域（１１）に配置され、共通の前記無線回路、好適には、マイクロチップを有するＲＦＩＤトランスポンダと協働する請求項１から７のいずれか一項に記載のエネルギー案内チェーン。
【請求項９】
前記検出器素子（２６；１２２６、１２２７；１６２６）が、受動回路構成要素の形態または導体部分の形態であり、共通の無線回路、好適には、マイクロチップを有するＲＦＩＤトランスポンダと協働する請求項１から８のいずれか一項に記載のエネルギー案内チェーン。
【請求項１０】
前記チェーン・リンクがそれぞれ、前記クリティカル領域（１１）において、前記所定量の摩耗において前記検出器素子をトリガする意図された破壊点を有しており、前記検出器素子（２６；１２２６、１２２７）が、好適には、電気機械スイッチング・デバイスまたは電子（１３３０）スイッチング・デバイスの形態である請求項１から９のいずれか一項に記載のエネルギー案内チェーン。
【請求項１１】
前記エネルギー案内チェーンが、下部ラン（３）と、該下部ランに対して摺動可能な、または自己支持型の上部ラン（４）とを有しており、前記検出モジュール（１００；１９０；２００）が、該上部ラン（３）の一部に配置される請求項１から１０のいずれか一項に記載のエネルギー案内チェーン。
【請求項１２】
劣化の電気的検出を有するライン・ガイド（１）に対する前付けまたは後付けのための検出モジュール（１００；１９０；２００）であって、アンテナおよび検出器素子（２６）を有する無線回路（２０、２０Ａ、２０Ｂ；１２２０；１３２０．．．）と、該ライン・ガイド（１）と協働して、該検出モジュール（１００；１９０；２００）を前記ライン・ガイド（１）に固定する固定部材（１９３Ａ、１９３Ｂ；２９３、２９８）を有する、特にプラスチック製の、筐体（１９２；２９２）とを含み、該筐体は、前記検出器素子（２６）を有する前記筐体の領域が、劣化摩耗に関してクリティカルである領域（１１）に曝されるような構成であり、該固定部材（１９３Ａ、１９３Ｂ；２９３、２９８）は、好適には、サイド・プレート（８）上の横断脚部（９）またはそのコネクタと協働する検出モジュール（１００；１９０；２００）。
【請求項１３】
リジッドな第１の回路部分（１０Ａ）と、前記検出器素子（２６）が提供されるフレキシブルな第２の回路部分（１０Ｂ）とを有するトランスポンダ（２０、２０Ａ、２０Ｂ；１２２０；１３２０．．．）を含む二部無線回路（１０）を備える請求項１２に記載の検出モジュール。
【請求項１４】
前記無線回路は、マイクロプロセッサを含み、能動無線回路である請求項１２に記載の検出モジュール。
【請求項１５】
変位可能な前記ライン・ガイド（１；２２１）のクリティカル領域における劣化、特に、摩損摩耗、亀裂および／または疲労破損に起因する劣化を電気的に検出するための、請求項１２、１３、及び１４いずれか一項に記載の検出モジュール（１００；１９０；２００）の使用であって、
所定量の劣化摩耗において、該ライン・ガイド（１；２２１）に配置された無線回路（２０、２０Ａ、２０Ｂ；１２２０；１３２０．．．）の挙動が変化し、読み取りデバイス（１２）または送受信機が、メンテナンス・メッセージおよび／または緊急停止をトリガする目的のために該変化を無線で検出する使用。